(57)【特許請求の範囲】
【請求項１】
ダイヤルパルス信号を計数する手段と、
この計数する手段の計数結果のダイヤル番号を桁番号に対応してｎ桁分保持するキューバッファメモリ手段と、
ダイヤルパルス信号の受信完了判定を行う手段と、
この判定を行なう手段の判定結果である数字受信完了の有無を１桁分保持する数字受信完了表示メモリ手段と、
ダイヤルパルス信号の途中放棄の検出を行う手段と、
この検出を行う手段の検出結果である途中放棄検出の有無を１桁分保持する途中放棄表示メモリ手段と
を備え、
前記キューバッファメモリ手段、前記数字受信完了表示メモリ手段、前記途中放棄表示メモリ手段は、それぞれ回線単位に個別に設けられ、
上位の制御装置がダイヤルパルスの受信結果の読み取り時に前記数字受信完了表示メモリ手段を走査し、前記キューバッファメモリ手段および前記途中放棄表示メモリ手段の読み取りを行う
ことを特徴とするダイヤルパルス受信装置。
【請求項２】
ダイヤルパルス信号の計数結果であるダイヤル番号の読み取り処理時に、ダイヤル番号と共に桁番号を表示する手段を備えた請求項１記載のダイヤルパルス受信装置。
【発明の詳細な説明】
【０００１】
【発明の属する技術分野】
本発明は、ダイヤルパルス受信装置における受信結果読み取り処理の改良に関する。
【０００２】
【従来の技術】
一般に交換機等では、電話機のダイヤル操作を行ったときに送出されるダイヤルパルス信号を受信してダイヤル番号に変換し、このダイヤル番号に基づいて回線を接続して通話を実現している。このダイヤルパルス受信装置については、従来様々なものが提案され実用化されている。
【０００３】
例えば、特開昭５６−７５７９０号公報（以降、従来技術＃１と略す）に開示されているダイヤルパルス受信装置は、ダイヤルパルスの計数、途中放棄の検出および桁間判定を論理回路とメモリで行い、上位の制御装置から数字受信完了表示を走査することにより、１数字受信（桁間および途中放棄検出）毎に制御装置から受信結果（ダイヤル番号と途中放棄表示）の読み取りを行う構成を示している。
【０００４】
図３は、従来技術＃１のダイヤルパルス受信装置の構成を示すブロック図である。図４は、従来技術＃１のダイヤルパルス受信装置の受信結果保持部４の各メモリの構成および内部データの内容を示すメモリマップ図である。
【０００５】
従来技術＃１のダイヤルパルス受信装置は、ダイヤルパルス信号を入力する入力端子１、ダイヤルパルスの計数、途中放棄の検出および桁間判定を論理回路とメモリで行うダイヤルパルス受信回路２、該当回線のダイヤルパルス受信の有効または無効の設定状態を保持するＡＣＴメモリ３、各受信結果の内容を保持する受信結果保持部４、上位の制御装置（図示省略）とのインタフェース機能を有する制御回路８および制御端子９により構成される。
【０００６】
また、受信結果保持部４は、数字受信完了表示を保持するＳＰメモリ５、途中放棄検出表示を保持するＣＡＮメモリ６およびダイヤル番号を保持するＤＰメモリ７により構成される。なお、受信結果保持部４の各メモリは、図４に示すとおり「１桁 × 所要の回線数ｍ」のメモリで構成される。
【０００７】
上位の制御装置（図示省略）からＳＰメモリ５の内容を走査し、数字受信完了表示のあった該当回線のＣＡＮメモリ６およびＤＰメモリ７の読み取りを行うことにより、１数字（１桁）受信毎に受信結果の読み取り処理を実行している。
【０００８】
また、特開昭５９−１３３７９３号公報（以降、従来技術＃２略す）に開示されているダイヤルパルス受信装置は、前述の公報と同様にダイヤルパルスの計数、途中放棄の検出および桁間判定を論理回路とメモリで行い、受信結果（回線番号、数字受信完了表示、途中放棄検出表示、ダイヤル番号）を回線番号と対応させてキューバッファメモリに保持し、上位の制御装置からこのキューバッファメモリを走査することにより、受信結果（回線番号、数字受信完了表示、途中放棄検出表示、ダイヤル番号）の読み取りを行う構成を示している。
【０００９】
図５は、従来技術＃２のダイヤルパルス受信装置の構成を示すブロック図である。図６は、従来技術＃２のダイヤルパルス受信装置のＱメモリ１３の内部データの内容を示すメモリマップ図である。
【００１０】
従来技術＃２のダイヤルパルス受信装置は、前述の従来技術＃１の場合と同様に、ダイヤルパルス信号を入力する入力端子１０、ダイヤルパルスの計数、途中放棄の検出および桁間判定を論理回路とメモリで行うダイヤルパルス受信回路１１、該当回線のダイヤルパルス受信の有効または無効の設定状態を保持するＡＣＴメモリ１２、上位の制御装置（図示省略）とのインタフェース機能を有する制御回路１４および制御端子１５により構成される。
【００１１】
また、数字受信完了表示、途中放棄検出表示およびダイヤル番号の各受信結果は、回線番号と対応させてキューバッファメモリ構成のＱメモリ１３に保持する。なお、Ｑメモリ１３は、図６に示すとおり「所要の桁数ｎ × 所要の回線数ｍ」のキューバッファメモリで構成される。上位の制御装置（図示省略）からＱメモリ１３の内容を走査することにより、各回線の受信結果の読み取り処理を実行している。
【００１２】
【発明が解決しようとする課題】
従来技術＃１の場合には、ダイヤルパルス受信結果を１数字（１桁）分のメモリに保持しており、桁間判定周期毎に受信結果保持部メモリの内容が更新されるため、桁間判定周期よりも早い周期で上位の制御装置ソフトから受信結果の読み取りを行う必要がある。
【００１３】
よって、ダイヤルパルス受信処理以外の他の処理により上位の制御装置ソフトの処理能力が限界となり桁間判定周期よりも早い周期で読み取り処理が行えなくなった場合には、読み取り処理を行う前に受信結果保持部メモリの内容が更新されてしまうため、ダイヤルパルス受信結果が欠落（桁落ち）し、回線の誤接続等が発生する可能性があるという問題がある。
【００１４】
従来技術＃２の場合には、ダイヤルパルス受信結果を回線番号と対応させて１つのキューバッファメモリに保持するため、各回線のダイヤルパルス受信処理の状態によっては、キューバッファメモリ上に多数の受信結果が滞在してしまい、キューバッファメモリ上の後方付近に保持されている回線のダイヤルパルス受信結果読み取りに要する時間が増大して回線接続に伴う処理に遅延が発生する可能性がある。また、特に途中放棄を検出した場合には、キューバッファメモリ上に滞在している該当回線番号の受信結果は不要になるにも関わらず、この途中放棄検出表示の読み取りが行われる迄に、既に不要である受信結果の読み取り処理も行わなければならないため、回線接続に伴う処理に更なる遅延が発生する可能性があるという問題がある。
【００１５】
本発明の主な目的は、交換機等のシステムとしてのサービス品質の低下につながる、回線の誤接続および回線接続に伴う処理の遅延発生等を防止するダイヤルパルス受信装置を提供することにある。
【００１６】
【課題を解決するための手段】
本発明によるダイヤルパルス受信装置は、ダイヤルパルス受信結果保持部（１９）に所要の桁数ｎ分のキューバッファメモリ（２２）を各回線単位毎に設けてダイヤル番号を桁番号に対応して保持することを特徴としている。
【００１７】
また、ダイヤルパルス受信結果のうち、数字受信完了表示および途中放棄表示を前述のキューバッファメモリとは別のメモリ（５、６）に保持することを特徴としている。
【００１８】
所要の桁数ｎ分のダイヤル番号を桁番号に対応させてキューバッファメモリに保持するため、ダイヤルパルス受信処理以外の他の処理により上位の制御装置ソフトの処理能力が限界となり桁間判定周期よりも早い周期で読み取り処理が行えなくなった場合でも所要の桁数ｎ分までのダイヤル番号はキューバッファメモリに保持されているので受信結果の欠落（桁落ち）が発生することがなくなる。したがって、受信結果の欠落（桁落ち）による回線の誤接続の発生を防止することができるという効果が得られる。
【００１９】
また、各回線単位毎にキューバッファメモリを設けているため、他の回線のダイヤルパルス受信処理の状態に影響されることなく該当回線の受信結果読み取り処理を行うことができる。したがって、他の回線のダイヤルパルス受信処理状態の影響による該当回線の読み取り処理時間の増大を防止できるという効果が得られる。
【００２０】
また、数字受信完了表示および途中放棄表示をキューバッファメモリとは別のメモリに保持しているため、受信結果読み取り時に該当回線のキューバッファメモリ上の受信結果滞在状態に影響されることなく、その時の数字受信完了表示および途中放棄表示の状態を通知できるので、回線接続に伴う処理に遅延が発生することを防止できるという効果が得られる。
【００２１】
なお、ダイヤル番号と共に桁番号を読み取りすることができるため、上位の制御装置ソフト等で桁番号の正常性チェックを行うことにより、ダイヤルパルス受信処理の信頼性向上等の効果を得ることも可能である。
【００２２】
すなわち、本発明は、ダイヤルパルス信号を計数する手段と、この計数する手段の計数結果を保持するメモリ手段と、ダイヤルパルス信号の受信完了判定を行う手段と、この判定を行なう手段の判定結果を保持するメモリ手段と、ダイヤルパルス信号の途中放棄の検出を行う手段と、この検出を行う手段の検出結果を保持するメモリ手段とを備えたダイヤルパルス受信装置である。
【００２３】
ここで、本発明の特徴とするところは、前記各メモリ手段は、それぞれ回線単位に設けられ、前記計数結果を保持するメモリ手段は、ダイヤルパルス信号の受信結果であるダイヤル番号をあらかじめ定められたｎ桁分の桁番号に対応して保持する手段を備えたところにある。
【００２４】
ダイヤルパルス信号の計数結果であるダイヤル番号の読み取り処理時に、ダイヤル番号と共に桁番号を表示する手段を備えることが望ましい。
【００２５】
【発明の実施の形態】
本発明実施例のダイヤルパルス受信装置の構成を図１および図２を参照して説明する。図１は本発明実施例のダイヤルパルス受信装置のブロック構成図である。図２は本発明実施例の受信結果保持部の各メモリの構成および内部データの内容を示すメモリマップ図である。
【００２６】
本発明は、図１に示すように、ダイヤルパルス受信回路２に、ダイヤルパルス信号を計数する手段と、ダイヤルパルス信号の受信完了判定を行う手段と、ダイヤルパルス信号の途中放棄の検出を行う手段とを備え、前記計数する手段の計数結果を保持するＱメモリ２２と、前記判定を行なう手段の判定結果を保持するＳＰメモリ５と、前記検出を行う手段の検出結果を保持するＣＡＮメモリ６とを備えたダイヤルパルス受信装置である。
【００２７】
ここで、本発明の特徴とするところは、図２に示すように、ＳＰメモリ５、ＣＡＮメモリ６、Ｑメモリ２２は、それぞれ回線単位に設けられ、Ｑメモリ２２は、ダイヤルパルス信号の受信結果であるダイヤル番号をあらかじめ定められたｎ桁分の桁番号に対応して保持するところにある。
【００２８】
また、制御回路８は、ダイヤルパルス信号の計数結果であるダイヤル番号の読み取り処理時に、ダイヤル番号と共に桁番号を表示する。
【００２９】
以下では、本発明実施例をさらに詳細に説明する。
【００３０】
図１に示す本発明実施例のダイヤルパルス受信装置は、ダイヤルパルス信号を入力する入力端子１と、ダイヤルパルスの計数、桁間判定および途中放棄の検出を行うダイヤルパルス受信回路２と、該当回線のダイヤルパルス受信の有効または無効の設定状態を保持するＡＣＴメモリ３と、ダイヤルパルス受信結果の各内容を保持する受信結果保持部１９と、上位の制御装置（図示省略）とのインタフェース機能を有する制御回路８および制御端子９により構成される。
【００３１】
また、受信結果保持部１９は、数字受信完了表示（Ｑメモリの状態表示）を保持するＳＰメモリ５と、途中放棄検出表示を保持するＣＡＮメモリ６と、ダイヤル番号および桁番号を保持するキューバッファメモリ構成のＱメモリ２２により構成される。なお、図１のダイヤルパルス受信回路２の構成は、前述の公報および当業者により公知であり、また本発明の特徴とは直接関係しないので、その詳細な構成の説明は省略する。
【００３２】
図２は、本発明実施例のダイヤルパルス受信装置の受信結果保持部１９の各メモリの構成と内部データの内容を示すメモリマップ図である。所要の回線数ｍ分各回線単位毎に、ＳＰメモリ５には数字受信完了表示（ＳＰ）を１桁分、ＣＡＮメモリ６には途中放棄検出表示（ＣＡＮ）を１桁分、Ｑメモリ２２には所要の桁数ｎ分のダイヤル番号を桁番号に対応させて保持する。
【００３３】
次に、図１に示すダイヤルパルス受信装置の動作について図１および図２を参照して説明する。上位の制御装置（図示省略）からＡＣＴメモリ３に対してダイヤルパルス受信有効の設定が行われた場合には、入力端子１から入力された該当回線のダイヤルパルス信号をダイヤルパルス受信回路２でダイヤルパルスの計数、途中放棄の検出および桁間判定を行い、各受信結果を受信結果保持部１９に出力する。
【００３４】
受信結果保持部１９では、ダイヤル番号を桁番号に対応させてＱメモリ２２に、数字受信完了表示（Ｑメモリ２２上のデータ有または無の状態表示）をＳＰメモリ５に保持する。
【００３５】
また、途中放棄が検出された場合は、途中放棄検出表示をＣＡＮメモリ６に保持する。上位の制御装置（図示省略）からＳＰメモリ５の内容を走査し、数字受信完了表示があった該当回線のＣＡＮメモリ６とＱメモリ２２の読み取りを行うことにより、ダイヤルパルス受信結果の読み取り処理を行う。
【００３６】
図２に示すとおり、ＳＰメモリ５およびＣＡＮメモリ６はＱメモリ２２とは別のメモリでありＱメモリ２２上にデータが滞在するようなことがないため、ＳＰメモリ５の走査およびＣＡＮメモリ６の読み取り時には、その時点での数字受信完了表示（Ｑメモリ２２上のデータ有または無）の状態および途中放棄検出表示の状態そのものが読み出されることになるので、その後の回線接続設定に伴う処理を速やかに実行することが可能である。
【００３７】
Ｑメモリ２２は所要の桁数ｎ分の容量を設けているため、ダイヤル番号はこのｎ桁目分まで保持していることが可能である。また、Ｑメモリ２２は各回線単位に設けられているため、所要の回線のＱメモリ２２を直接読み取ることが可能であり、途中放棄検出表示があった回線等読み取りが不要になった回線のＱメモリ２２の読み取りを止めることが可能である。
【００３８】
また、Ｑメモリ２２はダイヤルパルスを桁番号に対応させて保持しているため、ダイヤル番号と共にその桁番号を読み取ることができるので、上位の制御装置ソフト等で各回線毎の桁番号の正常性をチェックすることにより、ダイヤルパルス受信結果の読み取り処理の信頼性の向上を図ることが可能である。
【００３９】
【発明の効果】
以上説明したように、本発明によれば、ダイヤルパルス受信結果保持部に所要の桁数分のキューバッファメモリを各回線単位毎に設けてダイヤル番号を桁番号に対応させて保持し、またダイヤルパルス受信結果のうち、数字受信完了表示および途中放棄検出表示を前述のキューバッファメモリとは別のメモリに保持することにより、ダイヤルパルス受信結果処理における受信結果の欠落（桁落ち）および不要な処理手順の増加を回避することができるため、交換機等のシステムとしてのサービス品質の低下につながる回線誤接続および回線接続処理に伴う遅延の発生を防止できるという効果を有する。
【図面の簡単な説明】
【図１】本発明実施例のダイヤルパルス受信装置のブロック構成図。
【図２】本発明実施例のダイヤルパルス受信装置の受信結果保持部の各メモリの構成および内部データの内容を示すメモリマップ図。
【図３】従来技術＃１のダイヤルパルス受信装置のブロック構成図。
【図４】従来技術＃１のダイヤルパルス受信装置の受信結果保持部の各メモリの構成および内部データの内容を示すメモリマップ図。
【図５】従来技術＃２のダイヤルパルス受信装置のブロック構成図。
【図６】従来技術＃２のダイヤルパルス受信装置のＱメモリの内部データの内容を示すメモリマップ図。
【符号の説明】
１、１０   入力端子
２、１１   ダイヤルパルス受信回路
３、１２   ＡＣＴメモリ
４、１９    受信結果保持部
５   ＳＰメモリ
６   ＣＡＮメモリ
７   ＤＰメモリ
８、１４   制御回路
９、１５   制御端子
１３、２２   Ｑメモリ
【図１】
0003792504.tif 000002
【図２】
0003792504.tif 000003
【図３】
0003792504.tif 000004
【図４】
0003792504.tif 000005
【図５】
0003792504.tif 000006
【図６】
0003792504.tif 000007